(57)【要約】      （修正有）【課題】電子機器を静電気障害から保護すると共に、電子回路プリント基板等の磁気記録物を収納するキャビネットや、サーバ等の電子機器を所定の状態に保管するラックとしての使用が可能になり、しかも、電子機器の盗難防止や情報漏洩防止することができる電子機器類収納庫を提供する。【解決手段】収納庫の側板と背面パネルとは、支柱に形成された収納凹部に収納されて連結される。これら側板と背面パネルとに開放防止用のシリンダー錠を装着する。底板と天板とを貫通する導電性の全ねじ状長ボルトに導電性の棚板を連結する。該長ボルトの上端に電子機器類の静電気を放電させるアース用圧着端子１０を設ける。棚板の上下面に導電性の塩化ビニルシートから成る保持シートを着脱自在に装着する。【選択図】図１
0003145626.tif 000002
【実用新案登録請求の範囲】
【請求項１】
電子回路プリント基板やサーバ等の電子機器類を所定の状態に保持して保管する電子機器類収納庫において、収納庫の四隅に設けられるフレーム状の支柱と、該支柱の上下に底板と天板とが連結され、収納庫の前面に装着される扉と収納庫の側面に装着される側板と収納庫の背面に装着される背面パネルとが設けられ、側板と背面パネルとは、支柱に形成された収納凹部に収納されて支柱と側板との面及び支柱と背面パネルとの面が面一になるように連結されると共に、これら側板と背面パネルとに開放防止用のシリンダー錠が装着され、底板と天板とを貫通する導電性の全ねじ状長ボルトに導電性の棚板を連結し、該長ボルトの上端に電子機器類の静電気を放電させるアース用圧着端子を設け、棚板の板面に導電性の塩化ビニルシートから成る保持シートを着脱自在に装着したことを特徴とする電子機器類収納庫。
【請求項２】
前記棚板は、金属板に導電性塗料が塗布され、該棚板から前記長ボルトとアース用圧着端子とで棚板に載置した電子機器類の静電気を放電するように設けられた請求項１記載の電子機器類収納庫。
【請求項３】
前記棚板は、前記長ボルトを貫通させる切欠き貫通孔を側面に形成し、該長ボルトにネジ止めされたナットで棚板の高さを任意に調整できるように設けられた請求項１又は２記載の電子機器類収納庫。
【請求項４】
前記保持シートは、電子回路プリント基板等の小物電子機器に接する面に該小物電子機器を挟み込む凹部が形成され、該保持シートを前記棚板の上下面に導電性ビスにて装着し、電子回路プリント基板等の小物電子機器を収納するキャビネットとして使用する請求項１乃至３いずれか記載の電子機器類収納庫。
【請求項５】
前記棚板の上下面から前記保持シートを外すと共に、前記側板若しくは背面パネルを選択自在に取り外してサーバ等の電子機器を収納するラックとして使用する請求項１乃至３いずれか記載の電子機器類収納庫。
【考案の詳細な説明】
【技術分野】
【０００１】
本考案は、電子回路プリント基板やサーバ等の電子機器類を所定の状態に保持して保管する場合に、これら電子機器類を静電気障害及び盗難から保護すると共に、電子機器の収納に便利な電子機器類収納庫に関する。
【背景技術】
【０００２】
本出願人は、特許文献１において、絶縁支持体に保持された磁気記録物等を保管する設備について、帯電物等の静電気障害防止方法を提案している。
【０００３】
また、本出願人は、特許文献２により、前記帯電物等の静電気障害防止のための帯電防止方法の具体的手段として、磁気記録物の保管装置を提案している。
【０００４】
更に本出願人は、特許文献３で、磁気ディスク等の磁気記録物や電子回路プリント基板を所定の状態に保持して保管する磁気記録物等の保管装置として、帯電状態表示手段を備えた電子機器等の収納庫を提案している。
【特許文献１】特公昭６１−４６９６０号公報
【特許文献２】実公平２−３２８０号公報
【特許文献３】特開平１１−２５１０８５号公報
【考案の開示】
【考案が解決しようとする課題】
【０００５】
このように、電子機器等の収納庫において、静電気障害防止手段について種々の提案がなされているが、この電子機器が電子回路プリント基板等の小物の場合には、この電子機器等を盗難から保護する必要がある。更に、電子機器がサーバの如き電子機器の場合には、情報漏洩を防止する構造が必要になる。
【０００６】
ところが、これらの電子機器の種類によって盗難防止手段や情報漏洩防止構造などは、それぞれ異なっている。しかも、電子機器の種類が変わると、収納庫の内部構造も変わるので、収納物に応じて収納構造や盗難防止手段等を変更する必要がある。
【０００７】
更に、電子機器の収納物では、静電気障害から保護する必要もある。このため、従来の収納庫では、電子回路プリント基板等の小物の電子機器を収納するキャビネットやサーバの如き電子機器を収納するラックなどがそれぞれ種類別に構成されており、これらキャビネットやラックに使い分けることが可能な収納庫についてはいまだに提案されていない。
【０００８】
そこで本考案は、これら従来の収納庫等を改良することで、電子機器類を静電気障害から保護すると共に、電子回路プリント基板等の磁気記録物を収納するキャビネットや、サーバ等の電子機器を所定の状態に保管するラックとしての使用が可能になり、しかも、電子機器の盗難防止や情報漏洩防止することができる電子機器類収納庫の提供を目的とするものである。
【課題を解決するための手段】
【０００９】
上述の課題を解決するため、本考案の第１の手段は、電子回路プリント基板やサーバ等の電子機器類を所定の状態に保持して保管する電子機器類収納庫において、収納庫の四隅に設けられるフレーム状の支柱１と、該支柱１の上下に底板２と天板３とが連結され、収納庫の前面に装着される扉４と収納庫の側面に装着される側板５と収納庫の背面に装着される背面パネル６とが設けられ、側板５と背面パネル６とは、支柱１に形成された収納凹部１Ａに収納されて支柱１と側板５との面及び支柱１と背面パネル６との面が面一になるように連結されると共に、これら側板５と背面パネル６とに開放防止用のシリンダー錠７が装着され、底板２と天板３とを貫通する導電性の全ねじ状長ボルト８に導電性の棚板９を連結し、該長ボルト８の上端に電子機器類の静電気を放電させるアース用圧着端子１０を設け、棚板９の板面に導電性の塩化ビニルシートから成る保持シート１１を着脱自在に装着したことにある。
【００１０】
第２の手段の前記棚板９は、金属板９Ａに導電性塗料９Ｂが塗布され、該棚板９から前記長ボルト８とアース用圧着端子１０とで棚板９に載置した電子機器類の静電気を放電するように設けられている。
【００１１】
第３の手段の前記棚板９は、前記長ボルト８を貫通させる切欠き貫通孔９Ｃを側面に形成し、該長ボルト８にネジ止めされたナット１２で棚板９の高さを任意に調整できるように設けられたものである。
【００１２】
第４の手段の前記保持シート１１は、電子回路プリント基板等の小物電子機器に接する面に該小物電子機器を挟み込む凹部１１Ａが形成され、該保持シート１１を前記棚板９の上下面に導電性ビス１１Ｂにて装着し、電子回路プリント基板等の小物電子機器を収納するキャビネットとして使用する。
【００１３】
第５の手段は、前記棚板９の上下面から前記保持シート１１を外すと共に、前記側板５若しくは背面パネル６を選択自在に取り外してサーバ等の電子機器を収納するラックとして使用することを課題解消のための手段とする。
【考案の効果】
【００１４】
本考案の請求項１に記載の構成より、電子機器を静電気障害から保護すると共に、電子回路プリント基板等の磁気記録物を収納するキャビネットや、サーバ等の電子機器を所定の状態に保管するラックとしての使用が可能になった。また、側板５と背面パネル６とは、支柱１に形成された収納凹部１Ａに収納されて支柱１と側板５との面及び支柱１と背面パネル６との面が面一になるように連結されると共に、側板５若しくは背面パネル６には開放防止用のシリンダー錠７が装着されているので、電子機器の盗難防止や情報漏洩を防止することができる。
【００１５】
請求項２によると、棚板９は、金属板９Ａに導電性塗料９Ｂが塗布され、該棚板９から前記長ボルト８とアース用圧着端子１０とで棚板９に載置した電子機器類の静電気を放電するように設けられているので、電子機器を静電気障害から確実に保護することができる。
【００１６】
請求項３の棚板９によると、長ボルト８を貫通させる切欠き貫通孔９Ｃを側面に形成し、該長ボルト８にネジ止めされたナット１２で棚板９の高さを任意に調整できるように設けられているので、収納する電子機器類のサイズに合わせて棚板９の高さを容易に調整することができる。しかも、棚板９の追加や取り外し作業は、棚板９の切欠き貫通孔９Ｃによって容易に行うことができる。
【００１７】
請求項４によると、棚板９の上下面に導電性ビス１１Ｂにて装着された保持シート１１は、電子回路プリント基板等の小物電子機器に接する面に該小物電子機器を挟み込む凹部１１Ａが形成されているので、電子回路プリント基板等の小物電子機器を凹部１１Ａに挟み込んで収納することができる。この結果、電子回路プリント基板等の小物電子機器を収納するキャビネットとして導電効果が高く、しかも安定した状態で収納することができる。
【００１８】
請求項５により、棚板９の上下面から前記保持シート１１を除去すると共に、前記側板５若しくは背面パネル６を選択自在に取り外すことで、サーバ等の電子機器を収納するラックとして使用することができる。
【００１９】
このように、本考案によると、電子機器を静電気障害から保護すると共に、電子回路プリント基板等の磁気記録物を収納するキャビネットや、サーバ等の電子機器を所定の状態に保管するラックとしての使用が可能になり、しかも、電子機器の盗難防止や情報漏洩防止することができるなどといった実用上有益な種々の効果を奏するものである。
【考案を実施するための最良の形態】
【００２０】
本考案の最良の形態は、収納庫の四隅に設けられるフレーム状の支柱１の上下に底板２と天板３とを連結する。扉４と側板５と背面パネル６とを設ける。側板５と背面パネル６とは、支柱１に形成された収納凹部１Ａに収納されて側板５と背面パネル６とは、支柱１に形成された収納凹部１Ａに収納されて支柱１と側板５との面及び支柱１と背面パネル６との面が面一になるように連結されると共に、連結される。これら側板５と背面パネル６とに開放防止用のシリンダー錠７を装着する。底板２と天板３とを貫通する導電性の全ねじ状長ボルト８に導電性の棚板９を連結する。該長ボルト８の上端に電子機器類の静電気を放電させるアース用圧着端子１０を設ける。棚板９は、金属板９Ａに導電性塗料９Ｂが塗布され、該棚板９から前記長ボルト８とアース用圧着端子１０とで棚板９に載置した電子機器類の静電気を放電するように設ける。該棚板９は、前記長ボルト８を貫通させる切欠き貫通孔９Ｃを側面に形成し、該長ボルト８にネジ止めされたナット１２で棚板９の高さを任意に調整できるように設ける。棚板９の板面に導電性の塩化ビニルシートから成る保持シート１１を着脱自在に装着することにより、当初の目的を達成する。
【実施例】
【００２１】
以下、本考案の一実施例を説明する。本考案収納庫は、電子回路プリント基板等の小物電子機器を収納するキャビネットやサーバ等の電子機器を収納するラックとして使用する収納庫である。
【００２２】
本考案収納庫の主要構成は、収納庫の四隅に設けられるフレーム状の支柱１と、該支柱１の上下に連結される底板２と天板３とを有する。更に、収納庫の前面に装着される扉４と収納庫の側面に装着される側板５と収納庫の背面に装着される背面パネル６とから成る（図５参照）。そして、この収納庫の内部に長ボルト８を立設してこの長ボルト８に棚板９を装着するものである（図６参照）。
【００２３】
底板２と天板３には、これら底板２と天板３とを貫通する導電性の全ねじ状の長ボルト８を装着している（図６参照）。そして、該長ボルト８の上端に電子機器類の静電気を放電させるアース用圧着端子１０を設ける。また、この長ボルト８に後述する導電性の棚板９を着脱自在、且つ高さ調整自在に連結するものである。
【００２４】
アース用圧着端子１０は、長ボルト８の上端に設けられ、収納物の静電気を放電するものである。図示例では、長ボルト８の上端にネジ止めした２個のナット１２の間にアース線１０Ａを挟着固定するものである（図１参照）。
【００２５】
扉４は、収納庫の前面に開閉自在に装着されるもので、この扉４は、片開き、両開きのいずれを選択しても良い。図示例ではアクリル窓４Ａとハンドル４Ｂとを設けた両開きの扉４を示している（図１参照）。
【００２６】
側板５は、収納庫の側面に着脱自在に装着されるもので、支柱１に形成された収納凹部１Ａに収納されて支柱１と側板５との面が面一になるようにビス５Ｂで連結されている（図１０参照）。図示の側板５は、左右の支柱１の内側面上下に架設した補強材５Ａに装着する上下一対のもので、各側板５にシリンダー錠７が装着されている（図２参照）。図示例では、差左右の支柱１相互に補強材５Ａを架設し、この補強材５Ａにシリンダー錠７の爪７Ａを係止するようにしている（図１１参照）。
【００２７】
背面パネル６は、収納庫の背面に着脱自在に装着されるもので、支柱１に形成された収納凹部１Ａに収納されて支柱１と背面パネル６との面が面一になるようにビス６Ａで連結されている（図３参照）。この背面パネル６にも、開放防止用のシリンダー錠７を装着している。図示例では、シリンダー錠７の爪７Ａを天板３に直接係止するものである（図１２参照）。
【００２８】
棚板９は、金属板９Ａに導電性塗料９Ｂが塗布されたものである（図９参照）。この棚板９は、前記長ボルト８を貫通させる切欠き貫通孔９Ｃを左右端部に形成し、該長ボルト８にネジ止めされたナット１２で棚板９の高さを任意に調整できるように設けている（図８参照）。図示の棚板９は、切欠き貫通孔９Ｃに挿通した長ボルト８の上下にナット１２を装着しておき、このナット１２を棚板９の上下に締め付けることで、棚板９と長ボルト８とを固定するものである。このとき、棚板９とナット１２との間に座金（図示せず）を介することで、より強力で安定した固定ができる。
【００２９】
図示例の棚板９は、収納庫の内部に左右４本ずつ設置した長ボルト８に短い棚板９を並列に設置するものである（図６参照）。また、収納庫の内部に４本の長ボルト８を設置して長めの棚板９を設置することも可能である。
【００３０】
このように、長ボルト８に棚板９を連結固定することで、棚板９に載置した電子機器類の静電気を放電するように設けている（図６参照）。図示例では、この棚板９に沿って落下防止具１３を設けてあり、地震等の揺れを受けても収納物が落下しないようにしている（図６、図７参照）。この落下防止具１３は収納物や設置状況に応じて使用を選択することができる。更に、棚板９の上下面又はいずれか一方の面に導電性の塩化ビニルシートから成る保持シート１１を着脱自在に装着する（図９参照）。
【００３１】
保持シート１１は、電子回路プリント基板等の小物電子機器を収納するキャビネットとして使用する際に棚板９に装着する。この保持シート１１には、電子回路プリント基板等の小物電子機器に接する面に該小物電子機器を挟み込む凹部１１Ａが形成されている。図示例では、該保持シート１１を前記棚板９の上下面に導電性ビス１１Ｂにて装着している（図８、図９参照）。そして、電子回路プリント基板等の板端部を上下の保持シート１１の凹部１１Ａに差し込んで収納するものである（図示せず）。このとき、保持シート１１の装着面を上下面のいずれかに限定したり、あるいは凹部１１Ａの幅を変更したりすることは自由に行える。
【００３２】
一方、棚板９の上下面から前記保持シート１１を外した場合は、サーバ等の電子機器を収納するラックとして使用することができる。この場合、棚板９表面に塗布した導電性塗料９Ｂが導電作用を促進せしめるものである。また、側板５若しくは背面パネル６を選択自在に取り外すことも可能である。更に、扉４、側板５、背面パネル６の全てを取り外してオープン状態のラックとしても使用することも可能である（図示せず）。
【００３３】
尚、本考案は、図示例に限定されるものではなく、支柱１や底板２、天板３、扉４側板５背面パネル６等の寸法や形状等の設計変更、及びシリンダー錠７、長ボルト８、棚板９、アース用圧着端子１０等は、本考案の要旨を変更しない範囲において自由に変更できるものである。
【図面の簡単な説明】
【００３４】
【図１】本考案の一実施例を示す正面図である。
【図２】本考案の一実施例を示す側面図である。
【図３】本考案の一実施例を示す背面図である。
【図４】本考案の一実施例を示す平面図である。
【図５】本考案の一実施例を示す平断面図である。
【図６】図４に示す矢視VI- VI線を示す縦断面図である。
【図７】図４に示す矢視VII- VII線を示す縦断面図である。
【図８】本考案の棚板の一実施例を示す平面図である。
【図９】本考案の棚板の一実施例を示す正面図である。
【図１０】本考案の支柱の収納凹部を示す要部断面図である。
【図１１】本考案の側板に設けたシリンダー錠を示し、（イ）は要部側面図、（ロ）は要部断面図である。
【図１２】本考案の背面パネルに設けたシリンダー錠を示し、（イ）は要部背面図、（ロ）は要部断面図である。
【符号の説明】
【００３５】
１  支柱
１Ａ  収納凹部
２  底板
３  天板
４  扉
４Ａ  アクリル窓
４Ｂ  ハンドル
５  側板
５Ａ  補強材
５Ｂ  ビス
６  背面パネル
６Ａ  ビス
７  シリンダー錠
７Ａ  爪
８  長ボルト
９  棚板
９Ａ  金属板
９Ｂ  導電性塗料
９Ｃ  切欠き貫通孔
１０  アース用圧着端子
１０Ａ  アース線
１１  保持シート
１１Ａ  凹部
１１Ｂ  導電性ビス
１２  ナット
１３  落下防止具
【図１】
0003145626.tif 000003
【図２】
0003145626.tif 000004
【図３】
0003145626.tif 000005
【図４】
0003145626.tif 000006
【図５】
0003145626.tif 000007
【図６】
0003145626.tif 000008
【図７】
0003145626.tif 000009
【図８】
0003145626.tif 000010
【図９】
0003145626.tif 000011
【図１０】
0003145626.tif 000012
【図１１】
0003145626.tif 000013
【図１２】
0003145626.tif 000014